(57)【要約】【課題】商品の取出性を低下させることなく商品の盗難等を確実に防止することのできる自動販売機を提供する。【解決手段】商品取出口２ａ内の上方に搬出扉４ｂの前方への回動を規制可能な回動規制板３を設け、商品取出口２ａ内に挿入された挿入物が回動規制板３の前端部３ｃに当接すると、回動規制板３が後方に移動し、回動板６を介して搬出扉４ｂの前方への回動を規制するようにしたので、不正行為の目的で商品搬出口４ａ側まで手を挿入しても、回動規制板３との接触により搬出扉４ｂを開けることができず、不正行為を確実に阻止することができる。この場合、回動規制板３は商品取出口２ａ内の上方に設けられていることから、回動規制板３によって通常の商品取出動作が妨げられることはない。【選択図】　図４
2004013664.tif 000002
【特許請求の範囲】
【請求項１】
自動販売機本体の前面を開閉する外扉と、自動販売機本体内に設けられた商品収納庫と、商品収納庫の前面を開閉する内扉と、内扉の商品搬出口を開閉する搬出扉とを備え、商品収納庫の商品を内扉の商品搬出口から外扉の商品取出口に搬出するようにした自動販売機において、
前記商品取出口内の上方に前後方向に移動自在に設けられ、商品取出口内に挿入される挿入物が前端側に当接すると、後方に移動して搬出扉の前方への回動を規制する回動規制部材を備えた
ことを特徴とする自動販売機。
【請求項２】
前記回動規制部材を前方に向かって下り傾斜をなすように取付けた
ことを特徴とする請求項１記載の自動販売機。
【請求項３】
前記回動規制部材の後方に、回動規制部材が後方へ移動すると回動規制部材の後端側との当接によって回動を規制される回動板を設け、
回動規制部材に当接する回動板によって搬出扉の前方への回動を規制するように構成した
ことを特徴とする請求項１または２記載の自動販売機。
【発明の詳細な説明】
【０００１】
【発明の属する技術分野】
本発明は、ビン、缶またはペットボトル入り飲料等の商品を販売する自動販売機に関するものである。
【０００２】
【従来の技術】
従来、この種の自動販売機としては、自動販売機本体の前面を開閉する外扉と、自動販売機本体内に設けられた商品収納庫と、商品収納庫の前面を開閉する内扉と、上端を回動自在に支持され、内扉の商品搬出口を開閉する搬出扉とを備え、商品収納庫の商品を内扉の商品搬出口から外扉の商品取出口に搬出するようにしたものが知られている。
【０００３】
この自動販売機においては、例えば特開平１０−２２８５６７号に記載されているように、商品取出口内に上端を回動自在に支持された防盗板を設け、商品取出口から手や異物を挿入するといった不正行為を防盗板によって阻止するようにしている。
【０００４】
【発明が解決しようとする課題】
しかしながら、前記防盗板は商品の盗難等を防止する機能を有する反面、通常の販売時において商品を取出す際、防盗板に手や商品が接触するなど、商品の取出性を低下させるという問題点があった。
【０００５】
本発明は前記問題点に鑑みてなされたものであり、その目的とするところは、商品の取出性を低下させることなく商品の盗難等を確実に防止することのできる自動販売機を提供することにある。
【０００６】
【課題を解決するための手段】
本発明は前記目的を達成するために、請求項１では、自動販売機本体の前面を開閉する外扉と、自動販売機本体内に設けられた商品収納庫と、商品収納庫の前面を開閉する内扉と、内扉の商品搬出口を開閉する搬出扉とを備え、商品収納庫の商品を内扉の商品搬出口から外扉の商品取出口に搬出するようにした自動販売機において、前記商品取出口内の上方に前後方向に移動自在に設けられ、商品取出口内に挿入される挿入物が前端側に当接すると、後方に移動して搬出扉の前方への回動を規制する回動規制部材を備えている。
【０００７】
これにより、商品取出口内に挿入された挿入物が回動規制部材の前端に当接すると、回動規制部材が後方に移動し、搬出扉の前方への回動が規制されることから、不正行為の目的で商品搬出口側まで挿入物を挿入しても、回動規制部材との接触により搬出扉を開けることができない。この場合、回動規制部材は商品取出口内の上方に設けられていることから、回動規制部材によって通常の商品取出動作が妨げられることはない。
【０００８】
また、請求項２では、請求項１記載の自動販売機において、前記回動規制部材を前方に向かって下り傾斜をなすように取付けている。
【０００９】
これにより、請求項１の作用に加え、回動規制部材が常に前方に位置することから、通常の販売時に誤って搬出扉の回動が規制されることがない。
【００１０】
また、請求項３では、請求項１または２記載の自動販売機において、前記回動規制部材の後方に、回動規制部材が後方へ移動すると回動規制部材の後端側との当接によって回動を規制される回動板を設け、回動規制部材に当接する回動板によって搬出扉の前方への回動を規制するように構成している。
【００１１】
これにより、請求項１または２の作用に加え、回動規制部材が後方へ移動すると回動板が回動規制部材の後端側に当接して回動を規制され、更に回動板に当接する搬出扉の回動が規制されることから、回動板によって搬出扉の回動が確実に規制される。
【００１２】
【発明の実施の形態】
図１乃至図４は本発明の一実施形態を示すもので、図１は自動販売機の全体斜視図、図２乃至図４は商品取出口を示す要部側面断面図である。
【００１３】
この自動販売機は、前面を開口した自動販売機本体１と、自動販売機本体１の前面開口部を開閉する外扉２とを備えている。外扉２には商品取出口２ａが設けられ、商品取出口２ａ内には後述する防盗用の回動規制板３が設けられている。また、商品取出口２ａには開閉扉２ｂが設けられ、開閉扉２ｂは上端を支軸２ｃを介して回動自在に支持されている。
【００１４】
自動販売機本体１内には断熱性の内扉４によって開閉する商品収納庫（図示せず）が設けられ、商品収納庫内にはサーペンタイン等の商品コラム及び商品搬出装置等が収容されている。また、内扉４の下部には複数の商品搬出口４ａが設けられ、各商品搬出口４ａはそれぞれ上端を回動自在に支持された搬出扉４ｂが設けられている。即ち、商品コラムから搬出された商品は何れかの商品搬出口４ａから搬出されるようになっている。
【００１５】
外扉２は自動販売機本体１に回動自在に支持され、その内面側には金銭処理装置２ｄ等が配置されている。商品取出口２ａは横長に形成され、外扉２の下部に配置されている。また、外扉２の内面側には商品取出口２ａ内に搬出された商品を受容する商品受け２ｅが設けられ、図示していないが外扉２の外面側には商品サンプル，商品選択スイッチ，金銭投入口等が設けられている。
【００１６】
回動規制板３は商品取出口２ａ内の上方に配置され、商品取出口２ａ内の上部に設けられた取付部材５によって支持されている。取付部材５は前方に下り傾斜をなすように設けられ、回動規制板３は取付部材５の下面に沿って前下りに傾斜して前後方向に移動自在に取付けられている。即ち、回動規制板３には前後方向に延びる長孔３ａが設けられ、長孔３ａを挿通する段付ネジ等の支持部材３ｂにより、回動規制板３が取付部材５に長孔３ａに沿って移動自在に支持されている。回動規制板３の前端部３ｃは下方に屈曲するとともに、その先端側を上方に折り曲げられており、前方からの挿入物に当接し易いように形成されている。また、回動規制板３の後方には搬出扉４ｂの前方に位置する回動板６が設けられ、回動板６は上端を支軸６ａを介して取付部材５に回動自在に支持されている。回動板６の支軸６ａは搬出扉４ｂの支軸４ｃとほぼ同等の高さ位置に配置されており、回動板６の上下寸法は搬出扉４ｂの約半分の長さに形成されている。また、回動板６の前面には斜め上方に延びる突片６ｂが設けられ、取付部材５は突片６ｂに対応する位置に貫通孔５ａを有している。即ち、回動板６が前方に回動すると、回動規制板３が前方に位置しているときは、回動板６の突片６ｂが回動規制板３の後方を通過して取付部材５の貫通孔５ａに挿入される。また、回動規制板３が後方に位置しているときは、回動板６の突片６ｂが回動規制板３の後端側に当接して回動板６の回動が規制されるようになっている。
【００１７】
以上のように構成された自動販売機においては、金銭の投入及び商品の選択が行われると、商品収納庫の商品Ａが内扉４の商品搬出口４ａから商品取出口２ａ内に搬出される。その際、図３に示すように商品Ａの衝突によって商品取出口２ａの搬出扉４ｂが前方に回動すると、回動板６に搬出扉４ｂが後方から当接して回動板６も前方に回動する。この時、通常は回動規制板３が前方に位置しているため、回動板６の突片６ｂは回動規制板３に当接することなく取付部材５の貫通孔５ａを挿通し、搬出扉４ｂの回動が回動板６によって規制されることはない。更に、回動板６は商品取出口２ａ内の上方に配置され、しかも搬出扉４ｂの約半分の長さに形成されていることから、商品取出口２ａ内の商品Ａを取出す際の妨げになることもない。
【００１８】
また、不正行為の目的で商品搬出口４ａ側まで手を挿入しようとした場合には、図４に示すように商品取出口２ａに挿入された不正行為者の腕Ｂが回動規制板３の前端部３ｃに当接し、回動規制板３が後方に移動する。これにより、搬出扉４ｂを開けようとして回動板６を前方に回動しても、回動板６の突片６ｂが回動規制板３に当接して回動板６の回動が規制されることから、搬出扉４ｂを開けることはできない。搬出扉４ｂを直接回動させようとした場合も同様である。この場合、回動規制板３は商品取出口２ａ内の上方に設けられていることから、回動規制板３によって通常の商品取出動作が妨げられることはない。
【００１９】
このように、本実施形態の自動販売機によれば、商品取出口２ａ内の上方に搬出扉４ｂの前方への回動を規制可能な回動規制板３を設け、商品取出口２ａ内に挿入された挿入物が回動規制板３の前端部３ｃに当接すると、回動規制板３が後方に移動し、回動板６を介して搬出扉４ｂの前方への回動を規制するようにしたので、不正行為の目的で商品搬出口４ａ側まで手を挿入しても、回動規制板３との接触により搬出扉４ｂを開けることができず、不正行為を確実に阻止することができる。この場合、従来のように防盗板自体で挿入物を阻止する構造とは異なり、商品取出口２ａ内に通常の商品取出動作を妨げる部材（防盗板）が存在しないので、商品Ａの取出性を低下させることがないという利点がある。
【００２０】
また、回動規制板３を前方に向かって下り傾斜をなすように取付けることにより、回動規制板３が常に前方に位置するようにしたので、通常の販売時に誤って搬出扉４ｂの回動が規制されることがなく、商品Ａの搬出不良を確実に防止することができる。
【００２１】
更に、回動規制板３の後方に、回動規制板３が後方へ移動すると回動規制板３の後端側との当接によって回動を規制される回動板６を設けたので、回動規制板３に当接する回動板６によって搬出扉４ｂの回動を確実に規制することができ、防盗効果をより高めることができる。
【００２２】
尚、前記実施形態では、回動板６を介して搬出扉４ｂの回動を規制するようにしたものを示したが、搬出扉４ｂに回動板６の突片６ｂに相当する構成を設け、回動規制板３によって直接搬出扉４ｂの回動を規制することにより、回動板６を省略するようにしてもよい。
【００２３】
【発明の効果】
以上説明したように、請求項１の自動販売機によれば、不正行為の目的で商品搬出口側まで挿入物を挿入した場合でも、商品搬出口の搬出扉を開けることができないため、不正行為を確実に阻止することができる。この場合、従来のように防盗板自体で挿入物を阻止する構造とは異なり、商品取出口内に通常の商品取出動作を妨げる部材（防盗板）が存在しないので、商品の取出性を低下させることがないという利点がある。
【００２４】
また、請求項２の自動販売機によれば、請求項１の効果に加え、通常の販売時に誤って搬出扉の回動が規制されることがないので、商品の搬出不良を確実に防止することができる。
【００２５】
また、請求項３の自動販売機によれば、請求項１または２の効果に加え、搬出扉の回動を確実に規制することができるので、防盗効果をより高めることができる。
【図面の簡単な説明】
【図１】本発明の一実施形態を示す自動販売機の全体斜視図
【図２】商品取出口を示す要部側面断面図
【図３】商品搬出時の動作を示す要部側面断面図
【図４】防盗時の動作を示す要部側面断面図
【符号の説明】
１…自動販売機本体、２…外扉、２ａ…商品取出口、３…回動規制板、３ｃ…前端部、４…内扉、４ａ…商品搬出口、４ｂ…搬出扉、６…回動板、Ａ…商品。
【図１】
2004013664.tif 000003
【図２】
2004013664.tif 000004
【図３】
2004013664.tif 000005
【図４】
2004013664.tif 000006